(57)【要約】【課題】正確な情報の再生・記録を可能とするレンズ保持装置、特に、ＢＤ対応用の記録再生装置等、対物レンズの作動距離が小さい記録再生装置においても正確な情報の記録再生を可能にするレンズ保持装置を提供する。【解決手段】対物レンズ１を保持するレンズホルダ３とレンズプロテクタ４との間に、接着層１６を設けることによって、レンズホルダ３及びレンズプロテクタ４の形状に依らず、レンズプロテクタ４の位置を厳密に制御することができるので、正確な情報の記録再生が可能となる。【選択図】図１
2007122824.tif 000002
【特許請求の範囲】
【請求項１】
光記録媒体に照射される光を収束させる対物レンズを、当該光記録媒体に対向するように保持するレンズホルダと、当該レンズホルダ上に設けられたレンズプロテクタとを備え、
上記レンズプロテクタとレンズホルダとの間には、接着層が設けられていることを特徴とするレンズ保持装置。
【請求項２】
上記レンズプロテクタは、対物レンズの外周を囲むように形成されていることを特徴とする請求項１に記載のレンズ保持装置。
【請求項３】
上記レンズプロテクタの光記録媒体に対向する面の少なくとも一部には、コーティングによってプロテクタ材料が設けられていることを特徴とする請求項１または２に記載のレンズ保持装置。
【請求項４】
上記レンズプロテクタの光記録媒体対向面には凹部が形成されており、
上記凹部は、対物レンズに対して光記録媒体の内周側または外周側の少なくとも一方に形成されていることを特徴とする請求項１〜３のいずれか１項に記載のレンズ保持装置。
【請求項５】
上記接着層は接着剤からなり、
上記レンズホルダをフォーカス方向及びトラッキング方向の少なくとも２方向に駆動するための駆動コイルが、上記接着剤によって、レンズホルダに固定されていることを特徴とする請求項１〜４のいずれか１項に記載のレンズ保持装置。
【請求項６】
請求項１〜５のいずれか１項に記載のレンズ保持装置を含む可動部が、光記録媒体に対してフォーカス方向及びトラッキング方向の少なくとも２方向に移動可能に設けられていると共に、
レンズ保持装置を上記２方向に移動させる駆動部を備えることを特徴とする対物レンズ駆動装置。
【請求項７】
請求項６に記載の対物レンズ駆動装置を備える光ピックアップ装置。
【請求項８】
請求項７に記載の光ピックアップ装置を備える記録再生装置。
【請求項９】
光記録媒体に対向するように対物レンズを保持するレンズホルダと、当該レンズホルダに固定されたレンズプロテクタとを備えるレンズ保持装置の製造方法であって、
レンズプロテクタとレンズホルダとの間に空隙を設けた状態で、少なくとも、レンズプロテクタと光記録媒体との距離が、対物レンズと光記録媒体との距離よりも小さくなるように、レンズホルダに対するレンズプロテクタの位置を決定する位置決定工程と、
上記位置決定工程で決定された位置において、レンズプロテクタをレンズホルダに固定する固定工程とを含むことを特徴とするレンズ保持装置の製造方法。
【請求項１０】
上記固定工程は、上記空隙に流動性を有する接着剤を注入するステップを含むことを特徴とする請求項９に記載のレンズ保持装置の製造方法。
【請求項１１】
光記録媒体に対向するように、対物レンズをレンズ搭載部にて保持するレンズホルダと、当該レンズホルダに固定されたレンズプロテクタとを備えるレンズ保持装置の製造方法であって、
レンズ搭載部を基準として、レンズホルダに対するレンズプロテクタの位置を決定する位置決定工程と、
上記位置決定工程で決定された位置において、レンズプロテクタをレンズホルダに固定する固定工程とを含むことを特徴とするレンズ保持装置の製造方法。
【発明の詳細な説明】
【技術分野】
【０００１】
本発明は、光記録媒体に対して、光を利用して情報の記録及び／または再生を行うためのレンズ保持装置、対物レンズ駆動装置、光ピックアップ装置、及び記録再生装置に関するものである。
【背景技術】
【０００２】
ＣＤ（Compact Disk）やＤＶＤ（Digital Versatile Disk）等の光ディスク（光記録媒体）に対して光学的に情報の記録再生を行う光ディスク装置（記録再生装置）には光ピックアップ装置が搭載されている。
【０００３】
光ピックアップ装置では、対物レンズによって収束される情報の記録・再生用の光のビームスポットを、光ディスクの記録面に螺旋または同心円状に形成されたトラックに追従させ、正確な情報の記録・再生を行うために、トラッキングサーボ及び、フォーカシングサーボが採用されている。
【０００４】
また、トラッキングサーボ及び、フォーカシングサーボを実行するために、光ピックアップ装置には対物レンズ駆動装置が搭載されている。この対物レンズ駆動装置においては、対物レンズを保持している可動部が、対物レンズの光軸方向（フォーカス方向）及び、光ディスクの半径方向（トラッキング方向）に動作可能なように支持されているとともに、磁石とコイルを利用した駆動部によって、可動部が上記の各方向へ駆動されるようになっている。
【０００５】
こうして可動部が駆動され、対物レンズがフォーカス方向へ駆動されることで、光ディスクの記録面にビームスポットの焦点を一致させるためのフォーカシングサーボが行われる。また対物レンズが光ディスクの半径方向へ駆動されることによって、光ディスクの記録面のトラックにビームスポットを追従させるためのトラッキングサーボが行われる。
【０００６】
しかし、記録再生装置への予期せぬ衝撃等の外乱により、光ディスクへの追従動作が乱れた結果、サーボ外れによる制御エラーが発生した場合、対物レンズと光ディスクが異常接近し、接触・衝突する可能性がある。
【０００７】
このような接触を避けるために、対物レンズ近傍にレンズプロテクタが配置されたレンズ保持装置が提案されている。このレンズプロテクタは、対物レンズと光ディスクが接触する前に、光ディスクと接触することで、対物レンズと光ディスクが直接接触することを回避し、対物レンズ及び、光ディスクの保護を行うものである。
【０００８】
このようなレンズプロテクタが設けられたレンズ保持装置として、例えば特許文献１には、図９・１０に示すような装置が記載されている。図９は従来のレンズ保持装置の要部構成を示す斜視図であり、図１０は図９に示すレンズ保持装置の断面図である。
【０００９】
図９・１０に示すように、従来のレンズ保持装置では、レンズホルダ１０３の光ディスクに臨む表面側に、対物レンズ１０１が装着されている。また、レンズホルダ１０３の周囲には、対物レンズ１０１よりも光ディスク側に突出するレンズプロテクタ１０４が装着される。レンズプロテクタ１０４は、対物レンズ１０１及びレンズホルダ１０３よりも軟質の合成樹脂やゴムなどの材料で形成される。
【００１０】
レンズプロテクタ１０４は、対物レンズ１０１の径方向の外方を囲む堰を形成しており、堰の内部には接着剤層１１６が保持されている。対物レンズ１０１及びレンズプロテクタ１０４は、レンズホルダ１０３に対して、接着剤層１１６によって固定されている。また、レンズホルダ１０３とプロテクタ１０４との接合部には、仮固定用溝１４５及び仮固定用突条１４６がそれぞれ形成されている。
【００１１】
このレンズ保持装置を組み立てる場合、まず、仮固定用溝１４５に仮固定用突起１４６を嵌合させる。これによって、レンズプロテクタ１０４とレンズホルダ１０３とを機械的に仮固定する。このようにレンズホルダ１０３にレンズプロテクタ１０４を仮固定した状態で、対物レンズ１０１をレンズホルダ１０３に装着する。そこに接着剤を塗布して、接着剤層１１６によって、対物レンズ１０１及びレンズプロテクタ１０４を、レンズホルダ１０３に接着する。
【００１２】
一方、近年、より一層の高密度・大容量化への対応が求められており、ＢＤ（Blu-ray Disk）用光ピックアップ等の開発が進められている。
【００１３】
光ディスクにおいて、単位面積当りの記録容量（記録密度）の向上は、光ピックアップ装置から得られるビームスポット径を小さくすることで実現することができる。上記ビームスポット径の最小径は、光の回折のために、一般にλ／ＮＡ（λは使用する光源の波長、ＮＡは光学系の開口数）に比例する。従って、上記記録容量の向上のためには、使用する光源の波長を短くするか、または光ピックアップ装置の光学系の開口数を大きくすればよいことが知られている。
【００１４】
光源の波長を短くするためには、光源として青色系の半導体レーザーを用いた光ピックアップ装置の実用化が進んでいる。
【００１５】
また近年、光ピックアップ装置の光学系、つまり対物レンズの開口数は、ＣＤでは約０．４５、ＤＶＤでは約０．６、ＢＤでは約０．８と、大きく設定されている。開口数が大きくなるに従って、光ディスクの傾き（ディスクチルト）による記録再生信号への影響が大きくなるため、これを抑えるためにカバーガラス厚さは小さく設定されている。カバーガラスとは、光ディスクの情報記録面から光ディスクの表面の間に形成される保護層のことである。例えば、ＣＤ・ＤＶＤを対象とする光ピックアップ装置ではカバーガラス厚さは約０．６ｍｍ、ＢＤでは約０．１ｍｍと非常に小さい。カバーガラスの傷が同等の場合、ＢＤの方がＣＤ及びＤＶＤよりもその影響を受けやすいため、ＢＤ対応用記録再生装置では、特許文献１に記載されている対物レンズ駆動装置のように、レンズプロテクタが直接ＢＤに接触することで発生する表面の傷は記録再生を不可能にする可能性がある。
【００１６】
そこで、図１１に示すように、対物レンズ２０１を囲むように形成されたレンズホルダ２０３、またはレンズプロテクタに、弾力性があり硬度の低いプロテクタ材料２０４をコーティング形成することで、レンズプロテクタ（この場合はプロテクタ材料）と光ディスクとが接触しても大きな傷付きを回避することができ、良好な記録再生を行う技術が提案されている（例えば特許文献２）。
【特許文献１】特開２００４−１３９６９４号公報（２００４年５月１３日公開）
【特許文献２】特開２００２−２２２５３５号公報（２００２年８月９日公開）
【発明の開示】
【発明が解決しようとする課題】
【００１７】
以上のように、従来の技術では、レンズプロテクタは、レンズホルダを基準として設けられている。そのため、対物レンズと光ディスクとの接触を防ぎ、かつ、不要に光ディスクと接触しないレンズプロテクタを得るためには、レンズホルダの形状及びレンズプロテクタの形状を、高精度に調整する必要がある。詳細には以下の通りである。
【００１８】
特許文献１のように、対物レンズの作動距離（ワーキングディスタンス）が１ｍｍ〜１．２ｍｍと比較的大きい対物レンズ駆動装置の場合は、対物レンズ近傍にレンズホルダとは別に形成した部材をそれぞれに形成された凸部、凹部を勘合させることで機械的に位置決めした後、接着等によってレンズホルダ上に固定することで、プロテクタを形成することが可能である。
【００１９】
しかし、対物レンズの作動距離が０．１ｍｍ〜０．３ｍｍと小さい高密度光ディスク対応用の対物レンズ駆動装置では、レンズプロテクタの光ディスク対向面と光ディスクとの距離及び、対物レンズの光ディスク側の頂点とレンズプロテクタの光ディスクに対向する面との距離を、より厳密に制御しなければならない。これらの距離が所望の距離からずれると、プロテクタを適正に機能させることが不可能であり、特許文献１の構成ではこのような厳密な制御を行うことは非常に困難である。この問題点について、以下に詳細に述べる、
特許文献１のように、別途作製したレンズプロテクタがレンズホルダに固定されたレンズ保持装置の場合、レンズプロテクタとレンズホルダとは、それぞれに設けられた取り付け基準部を合わせて固定されている。すなわち、図９・１０においては、仮固定用溝１４５がレンズホルダ側取り付け基準部となり、仮固定用突条１４６がレンズプロテクタ側取り付け基準部となる。
【００２０】
このような場合、レンズホルダ側またはレンズプロテクタ側取り付け基準部の位置に誤差が生じると、レンズホルダに対するレンズプロテクタの位置が所望の位置からずれる。このような取り付け基準部の位置のずれ、特に、対物レンズのフォーカス方向におけるずれが生じると、レンズプロテクタの高さ（すなわちレンズプロテクタの突出量）、ひいては、フォーカス方向におけるレンズプロテクタと光ディスクとの距離が、所望の距離からずれてしまう。この距離のずれは、次のような問題を引き起こす。すなわち、レンズプロテクタと光ディスクとが接近しすぎると、レンズプロテクタと光記録媒体とが不必要に接触することとなる。また、レンズプロテクタが対物レンズよりも光記録媒体から離れてしまうと、レンズプロテクタとしての役割を果たせずに、対物レンズが光ディスクと接触してしまう。
【００２１】
一方、特許文献２のように、レンズホルダの光ディスク対向面に、コーティングによってレンズプロテクタを形成する場合、レンズプロテクタと光ディスクとの距離は、レンズホルダの光ディスク対向面（取り付け基準部に相当）の位置、及びコーティングの厚みによって決定される。そのため、レンズホルダの光ディスク対向面、またはコーティングの厚みに誤差が生じた場合、特許文献１に記載の技術と同様、上述したような問題が生じる。
【００２２】
このように、従来の技術では、レンズホルダの形状及びレンズプロテクタの形状に誤差が生じた場合、対物レンズと光ディスクとの接触、またはレンズプロテクタと光ディスクとの不要な接触が生じることになる。これらの接触は、記録再生装置において、情報の正確な記録再生ができなくなる原因となり得る。そのため、より正確な情報の記録・再生を実現するために、新たな技術の開発が強く求められている。
【００２３】
本発明は、上記従来の課題に鑑みたものであって、正確な情報の記録再生、特に、対物レンズの作動距離が小さい記録再生装置に用いても正確な情報の記録再生を可能にするレンズ保持装置、及び、その利用を提供することを目的とする。
【課題を解決するための手段】
【００２４】
本発明に係るレンズ保持装置は、上記課題を解決するために、光記録媒体に照射される光を収束させる対物レンズを、当該光記録媒体に対向するように保持するレンズホルダと、当該レンズホルダ上に設けられたレンズプロテクタとを備え、上記レンズプロテクタとレンズホルダとの間には、接着層が設けられていることを特徴とする。
【００２５】
上記構成によると、レンズプロテクタとレンズホルダとの間に接着層が設けられているので、レンズプロテクタとレンズホルダとが接触しない構成となっている。そのため、レンズホルダの形状及びレンズプロテクタの形状による、レンズプロテクタの光記録媒体対向面の位置ずれが生じにくい。レンズホルダの形状とは、特に、レンズホルダにおいてレンズプロテクタの固定に関与する部分の位置、及び、この部分の形状を指す。また、レンズプロテクタの形状とは、特に、レンズプロテクタにおいてレンズホルダへの固定に関与する部分の位置、及び、この部分の形状を指す。
【００２６】
すなわち、上記構成によると、レンズホルダ及びレンズプロテクタの形状に依らず、レンズプロテクタと光記録媒体との距離を、正確に制御することができる。つまり、レンズプロテクタの光記録媒体対向面を対物レンズの作動距離内に正確に設けることができる。そのため、レンズプロテクタによって対物レンズと光記録媒体との接触を防ぐと共に、レンズプロテクタと光記録媒体とが不要に接触することがない。従って、このようなレンズ保持装置を用いると、例えばＢＤ等の光記録媒体に情報を記録・再生するときのように、対物レンズの作動距離は小さくなる場合であっても、正確な記録再生が可能となる。
【００２７】
なお、「距離」とは、特に言及しない限り、２つの物体間の最短距離を指す。例えば、レンズプロテクタと光記録媒体との距離とは、レンズプロテクタの光記録媒体対向面と、光記録媒体のレンズプロテクタ対向面との距離を指す。
【００２８】
また、上記レンズプロテクタは、対物レンズの外周を囲むように形成されていることが好ましい。
【００２９】
上記構成によると、レンズプロテクタの光記録媒体に対向する面の平面度を安定させることができる。詳細には次の通りである。
【００３０】
別部材で形成された複数のレンズプロテクタを、対物レンズを囲むように配置した場合、レンズプロテクタ間で高さが一定になるように、これら複数のレンズプロテクタの位置を制御しなければならない。しかし、上述したように、レンズプロテクタを対物レンズの外周を囲むような矩形形状あるいは、円環形状とすれば、複数のレンズプロテクタの位置を個々に制御する必要がない。また、プロテクタ材料を形成する面を平面とすることで光記録媒体に対向する面の平面度を安定して形成することができる。つまり、レンズプロテクタの高さを、正確かつ容易に一様とすることができる。すなわち、レンズプロテクタの光記録媒体に対向する面の平面度を安定させることができる。
【００３１】
さらに、上記構成によると、レンズプロテクタにおいて、レンズホルダへの固定に関わる部分の面積、すなわち、接着層とレンズプロテクタとの接触面積を、大きく取ることができる。これによって、レンズプロテクタとレンズホルダとが強固に連結固定されることになる。従って、レンズ保持装置の剛性が向上する。
【００３２】
このようにレンズ保持装置の剛性が向上すると、このレンズ保持装置を備える記録再生装置では、安定したフォーカシングサーボ及びトラッキングサーボを得ることができる。これは、記録再生装置において、レンズ保持装置を含む可動部の共振周波数が増加し、これによって安定したフォーカシングサーボ及びトラッキングサーボを得ることができるためである。フォーカシングサーボ及びトラッキングサーボの安定性を高めることによって、対物レンズの作動距離の小さい記録再生装置においても、正確かつ安定した情報の記録・再生を可能とすることができる。
【００３３】
上記レンズプロテクタの光記録媒体に対向する面（以下、光記録媒体対向面と称することがある）の少なくとも一部には、コーティングによってプロテクタ材料が設けられていることが好ましい。
【００３４】
プロテクタ材料とは、光記録媒体を傷付けないような材料を意味する。このような材料としては、弾力性に優れること、低硬度であること、及び摩擦係数が低いという条件をみたせばよい。このようなプロテクタ材料が、レンズプロテクタの光記録媒体対向面に設けられることによって、サーボ外れの制御エラーにより光記録媒体とレンズ保持装置とが接近し、レンズプロテクタと光記録媒体とが接触しても、光記録媒体が傷付くことはない。
【００３５】
さらに、コーティングは、上記プロテクタ材料を、薄い層厚で形成することができる。従って、レンズプロテクタをコンパクトに形成することが可能になる。
【００３６】
また、上記構成においては、レンズプロテクタがレンズホルダと別部材である。そのため、コーティング時に、マスキングによって、同一部材への漏れ込みのない未コーティング領域の確保は必要ない。つまり、レンズホルダのレンズ搭載部にプロテクタ材料が付着しないように、高精度な加工によって形成されたマスクを使用しなくてもよい。また、上述したように、レンズプロテクタとレンズホルダとが接触しない構成となっているので、上記プロテクタ材料を含めたレンズプロテクタの光記録媒体対向面の位置ずれが生じにくい。従って、膜厚の絶対値の管理に要する精度が緩和される。その結果、歩留まりが向上し、低コスト化が可能になる。
【００３７】
また、上記レンズプロテクタの光記録媒体対向面には凹部が形成されており、上記凹部は、対物レンズに対して光記録媒体の内周側または外周側の少なくとも一方に形成されていることが好ましい。
【００３８】
上記構成によると、このレンズ保持装置を備える記録再生装置では、対物レンズ周波数特性の測定のために、光記録媒体の半径方向から対物レンズの側面にレーザー光を直接照射することができる。そのため、周波数特性を正確に測定することができ、安定かつ正確な情報の記録再生を行う記録再生装置を提供することができる。
【００３９】
また、上記レンズホルダをフォーカス方向及びトラッキング方向の少なくとも２方向に駆動するための駆動コイルが、上記接着層をなす接着剤によって、レンズホルダに固定されていることが好ましい。
【００４０】
これによると、駆動コイル及びレンズプロテクタを、レズホルダに同時に固定することができる。熱硬化性接着剤を使用する場合、高温環境内での放置による接着剤の硬化工程が必要になるが、これを１回で済ませることで作業時間を短縮し、かつ組み立てコストを低減することが可能になる。
【００４１】
また、本発明に係る対物レンズ駆動装置は、上記レンズ保持装置を含む可動部が、光記録媒体に対してフォーカス方向及びトラッキング方向の少なくとも２方向に移動可能に設けられていると共に、レンズ保持装置を上記２方向に移動させる駆動部を備えることが好ましい。
【００４２】
上記構成によると、本発明に係る対物レンズ駆動装置は、上記レンズ保持装置を備えるため、サーボ外れによる制御エラーが発生した場合でも、対物レンズと光記録媒体との接触を防ぐことができ、かつレンズプロテクタと光記録媒体とが不要に接触することがない。そのため、上記対物レンズ駆動装置を備える記録再生装置は、正確かつ安定した情報の記録再生を行うことができる。
【００４３】
また、本発明には、上記対物レンズ駆動装置を備える光ピックアップ装置、さらに、当該光ピックアップ装置を備える記録再生装置も含まれる。
【００４４】
また、本発明に係るレンズ保持装置の製造方法は、上記課題を解決するために、光記録媒体に対向するように対物レンズを保持するレンズホルダと、当該レンズホルダに固定されたレンズプロテクタとを備えるレンズ保持装置の製造方法であって、レンズプロテクタとレンズホルダとの間に空隙を設けた状態で、少なくとも、レンズプロテクタと光記録媒体との距離が、対物レンズと光記録媒体との距離よりも小さくなるように、レンズホルダに対するレンズプロテクタの位置を決定する位置決定工程と、上記位置決定工程で決定された位置において、レンズプロテクタをレンズホルダに固定する固定工程とを含むことを特徴とする。
【００４５】
上記方法によると、位置決定工程において、レンズプロテクタとレンズホルダとの間に空隙が設けられている。そのため、レンズプロテクタの光記録媒体対向面の位置が、レンズホルダの形状及びレンズプロテクタの形状から受ける影響が、低減される。すなわち、対物レンズのフォーカス方向におけるレンズプロテクタと対物レンズとの距離が、レンズホルダの形状及びレンズプロテクタの形状から影響を受けにくい。レンズホルダの形状とは、特に、レンズホルダにおいてレンズプロテクタが固定される部分の位置、及び、この部分の形状を指す。また、レンズプロテクタの形状とは、特に、レンズプロテクタにおいてレンズホルダに固定される部分の位置、及び、この部分の形状を指す。
【００４６】
すなわち、上記構成によると、レンズホルダ及びレンズプロテクタの形状に依らず、レンズプロテクタの高さ、ひいてはレンズプロテクタと光記録媒体との距離を、所望の大きさとすることができる。つまり、本発明の製造方法によると、対物レンズと光記録媒体との接触を防ぐことができ、かつ、光記録媒体と不要に接触することのないレンズプロテクタを、レンズホルダ及びレンズプロテクタの形状に依らず、レンズホルダ上に形成することができる。
【００４７】
従って、本発明の製造方法は、正確に情報の記録再生を実行することのできる対物レンズ駆動装置を提供することができる。特に、ＢＤに情報を記録・再生する場合、対物レンズの作動距離は小さくなるが、このような場合でも、本発明の製造方法によって製造されたレンズ保持装置は、正確な記録再生を可能とする。
【００４８】
また、上記固定工程は、上記空隙に流動性を有する接着剤を注入するステップを含むことが好ましい。
【００４９】
上記構成によると、上記ステップによって注入された接着剤によって、位置決定工程によって決定された位置を保持したまま、容易にレンズプロテクタをレンズホルダに固定することができる。
【００５０】
本発明のレンズ保持装置の製造方法は、上記課題を解決するために、光記録媒体に対向するように、対物レンズをレンズ搭載部にて保持するレンズホルダと、当該レンズホルダに固定されたレンズプロテクタとを備えるレンズ保持装置の製造方法であって、レンズ搭載部を基準として、レンズホルダに対するレンズプロテクタの位置を決定する位置決定工程と、上記位置決定工程で決定された位置において、レンズプロテクタをレンズホルダに固定する固定工程とを含む構成とすることができる。
【００５１】
上記構成によると、レンズ搭載部を基準として、レンズホルダに対するレンズプロテクタの位置を決定している。レンズ搭載部は、レンズホルダにおいて、レンズプロテクタの固定に関与しない部分に含まれると共に、対物レンズと光記録媒体との距離を決定する部分でもある。そのため、レンズ搭載部を基準としてレンズプロテクタの位置を決定することによって、レンズプロテクタの光記録媒体対向面の位置を厳密に調節することができる。従って、より正確な情報の記録再生が可能なレンズ保持装置を製造することができる。
【発明の効果】
【００５２】
本発明に係るレンズ保持装置は、上述したように、光記録媒体に照射される光を収束させる対物レンズを、当該光記録媒体に対向するように保持するレンズホルダと、当該レンズホルダ上に設けられたレンズプロテクタとを備え、上記レンズプロテクタとレンズホルダとの間には、接着剤からなる接着層が設けられていることを特徴とする。
【００５３】
それゆえ、レンズプロテクタの光記録媒体対向面を、安定して精度良く対物レンズの作動距離内に配置することができる。そのため、このようなレンズ保持装置は、情報の正確な記録再生を可能とする。
【発明を実施するための最良の形態】
【００５４】
本発明に係るレンズ保持装置は、記録再生装置に好適に利用される。そこで、以下では、まず本実施の形態に係る記録再生装置および当該記録再生装置に搭載される光ピックアップ装置について、図８を参照して説明し、その後、本実施の形態のレンズ保持装置について、図１〜６を参照して説明する。そして、最後に、本実施の形態のレンズ保持装置の製造方法について、図６・７を参照して説明する。ただし、本発明はこれに限定されるものではない。
【００５５】
図８は、本実施の形態に係る記録再生装置の概略を示す断面図である。
【００５６】
本実施の形態の記録再生装置は、光ディスク（光記録媒体）２に形成されたトラックを照射光（光）によって走査することによって情報の記録及び／または再生を行う光ピックアップ装置と、光ピックアップ装置からの照射光に対して光ディスク２を回転させるディスク回転装置（図示せず）とを備える。
【００５７】
本実施の形態に係る記録再生装置が情報の記録及び／または再生の対象とする光ディスク２は、光を利用して情報を記録・再生できる媒体であれば限定されるものではなく、光磁気ディスク等も含まれる。このような光ディスク２としては、円板状の光ディスク、例えばＣＤ、ＤＶＤ、またはＢＤ等が挙げられる。
【００５８】
なお、本実施の形態の記録再生装置では、上述のように光ディスク２を回転させているが、これに限らず、光ディスク２における光の照射位置を移動させ、それによって情報の記録及び／または再生を行うことができる構成を有していればよい。
【００５９】
次に、本実施の形態に係る光ピックアップ装置について述べる。本実施の形態の光ピックアップ装置は、光ディスクへの情報の記録及び光ディスクからの情報の再生のうち少なくとも一方を行う光ピックアップ装置であって、光を出射する光源と対物レンズとを有し、光源から出射される光を光ディスクの情報記録面に集光する集光手段と、対物レンズ駆動装置と、集光手段によって集光され、光ディスクから反射される光を検出する光検出手段とを備えるものである。
【００６０】
本実施の形態に係る光ピックアップ装置の構成について、より具体的に述べる。本実施の形態の光ピックアップ装置は、光ディスク２に対して光を出射する光源２０、光ディスク２からの反射光を検出する光検出手段２５、及び、光源２０からの光を光ディスク２上に導くと共に光ディスク２からの反射光を光検出手段２５に導く集光手段（１、２１〜２４）を備える。
【００６１】
図８に示すように、集光手段は、光源２０側から光ディスク２側に向かって、コリメータレンズ２１、プリズム２２、偏光ビームスプリッタ２３、及び、対物レンズ１をこの順で備える。また、集光手段は、偏光ビームスプリッタ２３と光検出手段２５との間に、コリメータレンズ２４をさらに備えている。
【００６２】
光源２０からの出射光は、コリメータレンズ２１によって平行光とされた後、入射光と反射光とを分離するビームスプリッタ２３を透過し、対物レンズ１を通って光ディスク２のトラックに焦点を結ぶ。
【００６３】
一方、光ディスク２からの反射光は、対物レンズ１を通って偏光ビームスプリッタ２３に入り、偏光ビームスプリッタ２３によってコリメータレンズ２４側に導かれる。コリメータレンズ２４は、光検出手段２５上に反射光を集光し、光検出手段２５によって反射光が検出される。光検出手段２５は、受光素子（光センサー）を有し、コリメータレンズ２４によって集光された反射光を、受光素子によって検出する。
【００６４】
なお、集光手段としては、上述した構成の他に、回折格子、１／４波長板及び、円筒レンズ等が必要に応じて設けられていてもよい。また、光源２、光検出手段２５、及び、光ピックアップ装置及び、記録再生装置に含まれる図示しない各種装置についても、特に限定されるものではなく、従来公知の装置を適用することができる。
【００６５】
また、本発明の実施の形態に係る対物レンズ１は、近年の高記録密度化を実現するために、光ビームを細く絞り込むことが可能なＮＡの大きい対物レンズを用いている。
【００６６】
図８に示すように、本実施の形態の光ピックアップ装置は、対物レンズ駆動装置５０を備える。対物レンズ駆動装置５０は、レンズ保持装置と、レンズ保持装置を少なくとも光ディスク２の径方向（トラッキング方向）及び、対物レンズ１の光軸方向（フォーカス方向）に移動させる駆動部とを備える。
【００６７】
レンズ保持装置は、対物レンズ１を光ディスク２に対向するように保持するレンズホルダ３と、当該レンズホルダ上に設けられたレンズプロテクタ４とを備えている。レンズ保持装置の詳細については後述する。
【００６８】
対物レンズ駆動装置５０は、光ディスク２上に照射される光のフォーカシング調整及び、トラッキング調整を行う装置である。具体的には、対物レンズ駆動装置５０は、光検出手段２５によるレーザー光の検出結果に基づいてレンズ保持装置を移動させることで、光源２０からの光が光ディスク２上のトラック上に焦点を結ぶように、対物レンズ１を光ディスク２の記録面２ａに対してフォーカシング方向及び、トラッキング方向に移動させる（変位駆動させる）装置である。
【００６９】
対物レンズ駆動装置５０は、上述のレンズ保持装置を備え、さらに駆動部として、駆動コイル群（フォーカシングコイル５及び、トラッキングコイル６）、これらの駆動コイル群に対向配置されるマグネット（第一マグネット１２及び、第二マグネット１３）、及び、ヨーク（第一ヨーク１０及び、第二ヨーク１１）を備える。
【００７０】
詳細には、対物レンズ駆動装置５０は、板状のベース部１５、及び、ベース部１５の光ディスク２側に設けられた保持体９を備えている。また、第一ヨーク１０及び、第二ヨーク１１は、走査方向において対向するように設けられている。なお、第二ヨーク１１は対物レンズ１の光軸に対して第１ヨーク１０の線対称の位置（図８中、保持体９に隠れる位置）に形成されている。また、同じく走査方向において対向するように、第一マグネット１２及び、第二マグネット１３が、それぞれ第一ヨーク１０及び、第二ヨーク１１に固定されている。また、第一マグネット１２及び、第二マグネット１３に挟まれるように、レンズ保持装置を備えた可動部８が設けられている。言い換えると、第一マグネット１２と第二マグネット１３とは、走査方向において可動部８を挟む位置に配置される。また、可動部８は弾性支持部材１４を介して保持体９に保持される。
【００７１】
第一ヨーク１０及び、第二ヨーク１１は強磁性材料からなる長方形平板状の部材であり、ベース部１５の端部に、折り曲げ立設加工により形成される。また、第一マグネット１２及び、第二マグネット１３は、共に光ディスク２の半径方向にＮＳ２極着磁された永久磁石片である。
【００７２】
次に、可動部８およびレンズ保持装置について、図１〜６，８に基づいて説明すると以下の通りである。
【００７３】
図１は、レンズ保持装置を含む可動部８を光ディスク２側から見た斜視図である。図２は、図１に示す可動部８からレンズプロテクタ４を取り外した状態を示す斜視図である。図３は、可動部８を光ディスク２側から見た平面図である。図４はＱ方向から可動部８を見た側面図であり、図５は、Ｐ方向から可動部８を見た側面図である。また、図６は図３に示す可動部のＸ−Ｘ矢視断面図である。
【００７４】
なお、矢印Ｐは光ディスク２の外周の接線方向を、矢印Ｑは光ディスク２の径方向（トラッキング方向）を示す。矢印Ｐは光の走査方向であって、矢印ＱはＰ方向に垂直な方向であると換言することもできる。
【００７５】
図１・８に示すように、可動部８は、対物レンズ１と、レンズ保持装置を備えている。レンズ保持装置は、対物レンズ１を保持するレンズホルダ３、レンズプロテクタ４を備えている。さらに、レンズホルダ３の側面（光ディスク２に垂直な面）には、駆動コイル群（５，６）、及び基板７が固定されている。なお、対物レンズ１は、レンズホルダ３の光ディスク対向面に設けられたレンズ搭載領域３ａに、例えば紫外線硬化性接着剤などの接着剤によって固定される。
【００７６】
フォーカシングコイル５は、光ディスク２の記録面に対して垂直な方向を軸線とし、レンズホルダ３の外周部に沿って巻回されている。そのため、フォーカシングコイル５は、レンズホルダ３と同様に、光ディスク２と平行な断面形状が略矩形になるように形成される。Ｐ方向に垂直な面は、第一マグネット１２及び、第２マグネット１３に臨むように配置されている。
【００７７】
トラッキングコイル６は、走査方向を軸線として巻回され、軸線に垂直な方向の断面形状が略Ｄ形状になるように形成される。また、第一マグネット１２及び、第２マグネット１３に臨むフォーカシングコイル５の表面に片側２ヶづつ、合計４ヶ直列に結線されて配置される。駆動コイル群は、レンズホルダ３に対して対物レンズ１が搭載される方向より差込み挿入された後、熱硬化性接着剤等で接着固定されている。
【００７８】
また、基板７は、フォーカシングコイル５のトラッキング方向両側面Ｑ方向における両側）にそれぞれ１ヶずつ、合計２ヶ備えている。上述の弾性支持部材１４の端部は、この基板７にはんだ等により機械的かつ電気的に連結される。つまり、弾性支持部材１４は、基板７を介して可動部８を保持体９と連結している。また、基板７は、弾性支持部材１４を介して駆動コイル群（５、６）に給電する構成になっている。
【００７９】
弾性支持部材１４は、弾性を有した部材であり、上述したように保持体９とレンズホルダ３とを連結している。可動部８は、弾性支持部材１４の弾性によって保持体９に対して移動可能になっている。つまり、可動部８は、換言するとレンズ保持装置は、光ディスク２に対してフォーカシング・トラッキング方向に移動可能に保持されている。弾性支持部材１４としては、たとえば断面が概丸形状のワイヤ材を用いることができる。本実施の形態では、弾性支持部材１４は、直径約０．１ｍｍのリン青銅ワイヤで形成されており、フォーカシング方向に間隔をあけて片側に２本、これがトラッキング方向において可動部８の両側に設けられるので、合計４本設けられる。弾性支持部材１４の他端は保持体９に連結される。このように弾性支持部材１４によって、可動部８は片持ち保持される。また、４本の弾性支持部材１４のうち、２本はフォーカシングコイル５に、２本はトラッキングコイル６に接続されており、それぞれに電流を印加することで、フォーカシング方向とトラッキング方向との独立駆動が可能である。
【００８０】
上述した対物レンズ駆動装置５０は、フォーカシング補正動作（フォーカシング調整）時には、フォーカシングコイル５、磁界を発生する第一マグネット１２及び、第二マグネット１３、並びに第一ヨーク１０及び、第二ヨーク１１によって構成される磁気回路により、フォーカシング方向（光ディスク２の記録面に垂直な方向、対物レンズ１の光軸方向）に可動部８を移動させる。また、トラッキング補正動作（トラッキング調整）時には、トラッキングコイル６、磁界を発生する第一マグネット１２及び、第二マグネット１３、並びに第一ヨーク１０及び、第二ヨーク１１によって構成される磁気回路により、トラッキング方向（光ディスク２の記録面２ａに平行な方向）に可動部８を移動させる。
【００８１】
以下に、本実施のレンズ保持装置について、図１〜５を参照して説明する。本実施の形態に係るレンズ保持装置は、上述したように、レンズホルダ３およびレンズプロテクタ４を備えており、レンズホルダ３とレンズプロテクタ４との間には、接着層１６が設けられている。つまり、本実施の形態のレンズ保持装置は、レンズホルダ３とレンズプロテクタ４とが接着層１６を挟むように設けられており、接着層１６によってレンズホルダ３とレンズプロテクタ４とが接触しないようになっているともいえる（特に図６）。
【００８２】
レンズホルダ３は、光ディスク２と平行な断面形状が略矩形である。レンズホルダ３の光ディスク２側には角柱状突出部３ｂが設けられている。本実施の形態では、レンズ搭載部３ａは、角柱状突起部３ｂの光ディスク２側に設けられている。レンズホルダ３は、可動部８の外部から与えられる振動に対して、除振効果が大きい材料、換言すると減衰特性に優れた材料からなることが好ましい。このような材料として、液晶樹脂（Liquid Crystalline Polymer：ＬＣＰ）が挙げられる。
【００８３】
レンズプロテクタ４は、光ディスク２と平行な断面形状が略矩形であり、対物レンズを囲むような筒形状になっている。具体的には、レンズプロテクタ４は、上記角状突起部３ｂに勘合する孔４ｃを備えている（図２）。
【００８４】
また、レンズプロテクタ４の光ディスク対向面４ｂのうち、光ディスク２の半径方向に概直交する部分に凹部４ａを備えて形成されている（図１、図５）。レンズプロテクタ４は、レンズホルダ３と同様の液晶樹脂あるいは、ポリカーボネイト（ＰＣ）等、熱硬化性接着剤あるいは、紫外線硬化性接着剤との接着力が強い汎用樹脂材料が好ましい。
【００８５】
また、レンズプロテクタ４の表面には、プロテクタ材料をコーティングすることによって、コーティング層が設けられている（図示せず）。レンズプロテクタの光ディスク対向面４ｂに設けられたコーティング層の表面は、対物レンズ１よりも光ディスク２側に形成されている。上記構成によって、レンズプロテクタ４は、光ディスク２を傷付けることなく、光ディスク２と対物レンズ１との接触を防止することができる。対物レンズ１とレンズプロテクタ４との、対物レンズ１の光軸方向における詳細な位置関係については後述する。
【００８６】
なお、本実施の形態では、プロテクタ材料は、プロテクタの表面全面に亘りコーティングにより形成されているが、これに限定されるものではない。プロテクタ材料は、レンズプロテクタ４の少なくとも光ディスク対向面４ｂに設けられていればよく、さらには、光ディスク対向面４ｂのうちの少なくとも一部に設けられていればよい。
【００８７】
また、プロテクタ材料は、光ディスク２と接触しても光ディスク２を損傷しない弾力性及び柔軟性を有することが好ましい。また、光ディスク２とレンズプロテクタ４との接触時に、ひっかかり等によって可動部８を支持する弾性支持部材１４を変形することがないように、低摩擦係数の材料が適している。
【００８８】
この他にも、従来のレンズプロテクタに用いられている素材を好適に用いることができる。また、プロテクタ材料を設ける方法としては本実施の形態のようにコーティングが好ましいが、これに限定されるものではない。
【００８９】
次に、図６を参照して、本実施の形態のレンズ保持装置について詳細に説明する。
【００９０】
図６に示すように、本実施の形態に係るレンズプロテクタ４の光ディスク対向面４ｂは、対物レンズ１の光ディスク２側の頂点よりも光ディスク２側に形成されている。つまり、対物レンズ１の光ディスク２側の頂点と光ディスク２との距離（作動距離）ｄ１と、レンズプロテクタ４の光ディスク２に対向する面４ｂと光ディスク２との距離ｄ２との関係は、ｄ１＞ｄ２である。これによって、サーボ外れが起こることで光ディスク２と対物レンズ１とが接近しても、レンズプロテクタ４が対物レンズ１より優先して光ディスク２と接触し、対物レンズ１と光ディスク１との接触を妨げる。
【００９１】
本実施例の場合、対物レンズの作動距離（距離ｄ１）は０．２６ｍｍであり、レンズプロテクタ４の光ディスク２に対向する面４ｂと光ディスク２の距離（距離ｄ２）は約０．１３ｍｍに設定されている。
【００９２】
本実施の形態のレンズ保持装置は、上述したようにレンズホルダ３とレンズプロテクタ４との間に接着層１６が設けられている。そのためレンズホルダ３及びレンズプロテクタ４の形状に関わらず、これらの位置調整を行うことで、レンズプロテクタ４と光ディスク２との距離を正確に制御することができる。つまり、レンズプロテクタ４の光ディスク対向面４ｂを対物レンズ１の作動距離内に正確に設けることができる。そのため、レンズプロテクタ４によって対物レンズ１と光ディスク２との接触を防ぐと共に、レンズプロテクタ４と光ディスク２とが不要に接触することがない。従って、このようなレンズ保持装置を用いると、例えばＢＤ等の光記録媒体に情報を記録・再生するときのように、対物レンズの作動距離は小さくなる場合であっても、正確な記録再生が可能となる。
【００９３】
また、光ピックアップ装置では、対物レンズ駆動装置５０のフォーカシング及び、トラッキング周波数特性（単に周波数特性と称する場合がある）を測定している。この周波数特性の測定には、レーザードップラ装置が用いられる。正確なトラッキング周波数特性の測定には、光ディスクの径方向、つまり走査方向に垂直な方向から、対物レンズに直接レーザー光を照射することが好ましい。
【００９４】
そこで、本実施の形態のレンズホルダ３およびレンズプロテクタ４は、互いに連結固定された状態において、光ディスク２の半径方向に凹部（３ｄ、４ａ）を備えて形成されている。なお、この凹部は、対物レンズ１から見て光ディスク２の内周側、または外周側の少なくとも一方に形成されていればよい。
【００９５】
上記構成によると、対物レンズ１に対して光ディスク２の半径方向に、少なくとも１箇所、対物レンズ１にレーザー光を照射することができる光路が設けられていることになる。
【００９６】
この構成によって、対物レンズ駆動装置５０のトラッキング周波数特性を正確に測定及び、評価することができ、正確な情報の記録及び、再生が可能となる対物レンズ駆動装置を提供することができる。なお、対物レンズの側面が１〜２ｍｍ見えれば周波数特性の測定は可能である。本実施の形態では、レンズプロテクタ４とレンズホルダ３の両方に凹部（３ｄ、４ａ）が形成されているが、対物レンズ１にレーザー光を照射することができれば、この構成に限られるものではない。例えば、レンズホルダの光ディスク対向面の全体が、対物レンズの頂点よりも光ディスクから離れている場合等は、レンズホルダに凹部を設ける必要はない。
【００９７】
特許文献１・２のように、対物レンズを完全に囲む形状のレンズプロテクタ、またはレンズホルダを備えるレンズ保持装置では、レンズプロテクタが光ディスクの径方向からのレーザー光を遮ることになる。従って、対物レンズに直接レーザー光を照射することができない。そのため、このようなレンズプロテクタを備える光ピックアップ装置では、レンズホルダの側面にレーザー光を照射して、周波数特性を測定している。このような光ピックアップ装置では、周波数特性とは無関係なレンズホルダの変形モードを測定する可能性がある。この変形モードから対物レンズ駆動装置５０の周波数特性を分離して確認することができないため、正確な周波数特性が測定できない。そのため、正確にトラッキング周波数特性を評価することができず、対物レンズ駆動装置の記録再生能力を正確に見極めることができないという問題点がある。
【００９８】
上述したように、本実施の形態の光ピックアップ装置は、可動部８を駆動することで、トラッキングサーボ及びフォーカシングサーボによるトラッキング調整及びフォーカシング調整を行っている。特に、対物レンズの作動距離が小さく、対物レンズ開口数が大きいＢＤを対象とする記録再生装置、または、高倍速になることで光ディスクの回転数（線速度）が高くなり高いサーボ帯域が必要となる高倍速ＤＶＤ等の記録再生装置では、安定なトラッキングサーボ及び、フォーカシングサーボが必要となる。本実施の形態の対物レンズ駆動装置では、レンズホルダ３とレンズプロテクタ４が接着剤で強固に連結固定されることで、レンズ保持装置の剛性、ひいては可動部８の剛性が高く保たれる。その結果、安定したフォーカシングサーボ及び、トラッキングサーボを実現することができる。
【００９９】
特に、レンズプロテクタ４が図２に示すように、対物レンズ１の周囲を囲むように連続して形成された筒形状であることによって、レンズプロテクタ４においてレンズホルダ３とレンズプロテクタ４との接続に関与する部分の面積が大きくなる。そのため、レンズプロテクタ４がより強固に連結固定されることとなり、レンズ保持装置の剛性は高く保たれる。
【０１００】
次に、本実施の形態に係るレンズ保持装置の製造方法について、図２・７を参照して以下に説明する。
【０１０１】
本実施の形態に係るレンズ保持装置の製造方法は、レンズプロテクタ４とレンズホルダ３との相対的な位置関係を決定する位置決定工程、及び、この位置決定工程で決定した位置において、レンズプロテクタ４をレンズホルダ３に固定する固定工程を含む。
【０１０２】
まず、位置決定工程について説明する。位置決定工程は、レンズプロテクタ４の光ディスク対向面４ｂが対物レンズ１の作動距離内にくるように、すなわち図５に示すように、ｄ１＞ｄ２となるように、レンズプロテクタ４の位置を調節する工程である。
【０１０３】
図２に示すように、レンズプロテクタ４はレンズホルダ３の角柱状突出部３ｂの外周よりも大きい孔４ｃを備えている。そして、位置決定工程においては、この孔４ｃと角柱状突起部３ｂとが勘合するように、レンズプロテクタ４とレンズホルダ３との位置が調節される。そして、位置決定工程においては、レンズプロテクタ４とレンズホルダ３との間に、空隙１８が設けられる。
【０１０４】
空隙１８を設けるために、レンズホルダ３においてレンズプロテクタ４の固定に関与する面３ｃと、固定後のレンズプロテクタ４の光ディスク対向面４ｂとの距離が、フォーカス方向におけるレンズプロテクタ４の長さより大きくなるように、レンズプロテクタ４は形成されている。なお、面３ｃは、角柱状突出部３ｂの周囲に設けられ、光ディスク２の記録面に平行になるように形成された面である。
【０１０５】
位置決定工程では、面３ｃ以外を基準として、レンズプロテクタ４の位置を決定することが好ましい。例えば、図７に示すように、レンズホルダ３のレンズ搭載部３ａを基準とすればよい。レンズ搭載部３ａを基準とする場合、レンズ搭載部３ａとレンズプロテクタ４の光ディスク対向面４ｂとの距離ｄ４を、所望の大きさに調節すればよい。この所望の大きさとは、上述したように、光ディスク対向面４ｂが対物レンズ１の作動距離内にくる大きさである。
【０１０６】
このようにレンズ等細部３ａを基準として位置を決定する場合、図７に示したような位置調整治具、すなわち組み立て治具１７を用いることができる。組み立て治具１７は、レンズ搭載部３ａと光ディスク対向面４ｂとの距離ｄ４が、所望の大きさになるように形成されている。
【０１０７】
組み立て治具１７を用いた位置決定工程について、詳細に説明すると以下の通りである。位置決定工程において、組み立て治具１７とレンズホルダ３とは、レンズ搭載部３ａで接触しており、組み立て治具とレンズプロテクタ４とは、光ディスク対向面４ｂで接触している。この状態において、レンズホルダ３とレンズプロテクタ４は接触することなく空隙を有している。このように、レンズホルダ３の面３ｃや、レンズプロテクタ４の形状に依存することなく、組み立て治具１７の精度に依存した位置調整が行われる。
【０１０８】
本実施の形態の製造方法では、上述したように、レンズホルダ３のレンズ搭載部３ａを基準面として、レンズプロテクタ４の光ディスク２との対向面４ｂを組み立て治具１７により、位置調整を行ってから、下記固定工程によって連結固定するので、対物レンズ１光軸方向における高さを厳密に制御することができる。すなわち、上記ｄ２及びｄ３の距離を厳密に制御することが可能となる。その結果、本実施の形態のレンズ保持装置は、対物レンズの作動距離の小さい記録再生装置にも好適に用いることができる。
【０１０９】
なお、位置決定工程において、レンズプロテクタ４の位置の基準となるのは、レンズ搭載部３ａに限定されないが、レンズ搭載部３ａを基準とすることで、対物レンズ１の頂点と光ディスク対向面４ｂとの距離ｄ３を厳密に制御することができるので、レンズ搭載部３ａは、位置決定の基準として非常に好ましい。
【０１１０】
次に、固定工程について説明する。固定工程は、上述の位置決定工程で決定された位置にレンズプロテクタ４及びレンズホルダ３を保持したまま、レンズプロテクタ４をレンズホルダ３に固定する工程である。固定する方法としては特に限定されるものではないが、空隙１８に流動性を有する接着剤を注入することが好ましい。流動性を有する接着剤を用いると、レンズプロテクタ４とレンズホルダ３との相対的な位置関係を保持したまま、容易にレンズプロテクタ４をレンズホルダ３に固定することができる。このとき注入した接着剤を固化させることで、接着層１６が形成される。
【０１１１】
本実施の形態では、接着剤１６は、レンズホルダ３とレンズプロテクタ４の対物レンズ光軸方向に対向する空隙部にのみ注入しているが、その他の空隙部に接着剤を注入してもよい。その他の空隙部とは、角柱状突出部３ｂとレンズプロテクタ４との間の空隙であってもよい。
【０１１２】
なお、接着剤として、特に好ましくは紫外線硬化接着剤または熱硬化接着剤が好ましい。しかし、これに限定されることなく、レンズ保持装置の製造に従来用いられてきた接着剤を好適に利用することができる。
【０１１３】
本実施の形態に係るレンズ保持装置の製造方法としては、レンズホルダ３とレンズプロテクタ４とを連結固定する接着剤を、レンズホルダ３と駆動コイル群５・６とを連結固定する際に使用する熱硬化性接着剤とすることが好ましい。これによって、レンズホルダ３−駆動コイル群５・６間、及びレンズホルダ３−レンズプロテクタ４間を同一工程で、より強固に組み立てすることができる。熱硬化性接着剤の場合、接着剤を高温環境にて放置することで硬化させる工程が必要になるが、これを１回で済ませることで組み立て作業時間の短縮が可能になる。その結果、組み立てコストを低減することができる。
【０１１４】
また、本実施の形態の製造方法においては、位置決定工程前、または固定工程後に、レンズプロテクタ４の光ディスク対向面４ｂにコーティングを施すコーティング工程を行ってもよい。コーティングの材料、コーティング層を設ける位置等については既に述べた通りである。
【０１１５】
なお、コーティング工程は、位置決定工程前に行うことが特に好ましい。この場合、コーティング層によって生じる厚みも、プロテクタ４の位置決定に反映させることができる。従って、より厳密に光ディスク対向面４ｂの位置を調節することができる。
【０１１６】
特許文献２のように、コーティングによってプロテクタ層を形成する場合、レンズホルダ３へのコーティングによるプロテクタ層の形成時に、レンズ搭載部等にプロテクタ材料が漏れ込まないように高精度な加工によるマスキング治具を準備する必要があった。
【０１１７】
しかしながら、本実施の形態のレンズプロテクタ４は、対物レンズ１が搭載されるレンズホルダ３と別部材で構成されているため、レンズホルダ３に固定する前に、コーティング層を形成することができる。そのため、従来のように高精度な加工によるマスキング治具を準備する必要はない。また、上記の組み立て方法を採用することで、レンズプロテクタ４のコーティング時の膜圧管理を含め、各部材に対して高精度な外形寸法を必要としない。その結果、部材の歩留まりが向上し、低コスト化が可能になる。
【０１１８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１９】
本発明のレンズ保持装置は、光ディスクに対して情報の記録・再生を行うための記録再生装置に好適に用いられる。特に、対物レンズの作動距離の小さい記録再生装置においても正確かつ安定した記録・再生を可能とする。
【図面の簡単な説明】
【０１２０】
【図１】本実施の形態に係る可動部の斜視図である。
【図２】本実施の形態に係る可動部（レンズホルダとレンズプロテクタの接着前）の斜視図である。
【図３】本実施の形態に係る可動部を光ディスク側から見た平面図である。
【図４】図３に示す可動部の側面図である。
【図５】図３に示す可動部の側面図である。
【図６】図３に示す可動部のＸ−Ｘ断面図である。
【図７】レンズ保持装置の製造工程を示す断面図である。
【図８】本実施の形態に係る記録再生装置の概略を示す断面図である。
【図９】従来のレンズ保持装置の一例を示す斜視図である。
【図１０】図９に示すレンズ保持装置の断面図である。
【図１１】従来のレンズ保持装置の他の例を示す斜視図である。
【符号の説明】
【０１２１】
１      対物レンズ
２      光ディスク（光記録媒体）
２ａ    記録面
３      レンズホルダ
３ａ    レンズ搭載部
４      レンズプロテクタ
４ａ    凹部
４ｂ    光ディスクとの対向面
５      フォーカシングコイル
６      トラッキングコイル
５・６  駆動コイル群
７      基板
８      可動部
１６      接着剤（空隙）
１７      組み立て治具
ｄ１      対物レンズと光ディスクの距離（対物レンズの作動距離）
ｄ２      レンズプロテクタと光ディスクの距離
ｄ３      レンズプロテクタと対物レンズの距離
Ｐ      光ディスクの外周の接線方向
Ｑ      光ディスクの径方向
【図１】
2007122824.tif 000003
【図２】
2007122824.tif 000004
【図３】
2007122824.tif 000005
【図４】
2007122824.tif 000006
【図５】
2007122824.tif 000007
【図６】
2007122824.tif 000008
【図７】
2007122824.tif 000009
【図８】
2007122824.tif 000010
【図９】
2007122824.tif 000011
【図１０】
2007122824.tif 000012
【図１１】
2007122824.tif 000013